(57)【特許請求の範囲】
【請求項１】
扉側のピンをキャッチする戸当たり用床側部材であって、
ピン出入口からピン最終キャッチ位置よりピン出入口とは反対側に位置する第１キャッチ位置の入口までの上り傾斜の第１路と、
該第１キャッチ位置から該ピン最終キャッチ位置までの第２路と、
該ピン最終キャッチ位置から該ピン最終キャッチ位置よりピン出入口とは反対側に位置する第２キャッチ位置の入口までの上り傾斜の第３路と、
第２キャッチ位置からピン出入口までの第４路と、を有し、
該第１路及び該第２路と、該第３路及び該第４路は、該ピン出入口の中心と該ピン最終キャッチ位置の中心を結ぶ線を境として互いに反対側に位置し、
該第１路と該第２路は扉のキャッチ工程におけるピンの通る路であり、
該第３路と該第４路は扉のリリース工程におけるピンの通る路であり、
該第１路から該第４路のそれぞれは平面視湾曲状で且つ両側壁を有し、該ピン最終キャッチ位置と該第３路との境界は段差を有さず、該第２キャッチ位置は浅深の落とし穴形状を有することを特徴とする戸当たり用床側部材。
【請求項２】
高さが１０ｍｍ以下であることを特徴とする請求項１記載の戸当たり用床側部材。
【請求項３】
該ピン最終キャッチ位置は、平面視で略中央に位置することを特徴とする請求項１又は２記載の戸当たり用床側部材。
【請求項４】
該第１路から該第４路で形成される平面視形状がハート型であることを特徴とする請求項１〜３のいずれか１項に記載の戸当たり用床側部材。
【請求項５】
請求項１〜４のいずれか１項記載の戸当たり用床側部材と、
水平方向において回動すると共に、弾発力により下方に付勢され、外力により上昇するピンを有するドア側部材を備えることを特徴とする戸当り。
【請求項６】
該ピンは、鉛直方向に延びる主軸と、主軸の先端から屈曲して横方向に延びる腕部と、
該腕部の先端から屈曲して下方に延びる先端ピン部を備えることを特徴とする請求項５記載の戸当り。
【請求項７】
該ドア側部材には、該ピンを支持する固定側支持部を有し、該ピンの上部には、該ピン出入口に対応する位置に位置決め用の凹状又は凸状のピン側係止部を形成したピン側ガイド部材を有し、該固定側支持部には、該ピン側係止部と係止する凸状又は凹状の固定側係止部を形成したことを特徴とする請求項５又は６記載の戸当り。
【発明の詳細な説明】
【技術分野】
【０００１】
本発明は、ドアの開け閉め操作でドア側部材のピン（ストライクピン）をキャッチ及びリリースする際、キャッチ感とリリース感が操作者に確実に伝わる戸当たり用床側部材及びこれを用いた戸当りに関するものである。
【背景技術】
【０００２】
従来、家屋の各部屋に設置されるドアを開く際、壁面への激突を防止すると共に、開き状態に維持する手段として、床付け戸当たりが知られている。一般的には、激突を避ける壁の手前の床面にドアと対向する面に緩衝材を付設すると共にリング状の係り具を設けた床付け戸当たりと、ドアの略先端部に付設される該係り具が架かるフック状の係合部材とからなるものが使用されている。
【０００３】
近年、改良された種々の形態の戸当たりが提案されている。特許文献１の特開２０００−４５６０６号公報には、床に固定する戸当たり本体と、ドアに固定し、該戸当たり本体の上端部と保持可能に形成した係止体とから構成し、戸当たり本体、係止体のいずれか一方に保持力調整手段を配設した戸当たりが開示されている。また、特許文献２の特開２０００−２４８８０８号公報には、弾性材料製の戸当たり部に、扉に設けられた磁着部を磁着するマグネットあるいは磁性材料製の扉仮保持部を係合させ並設してなる戸当たり装置が開示されている。これらの戸当たりはいずれもドアの開き操作のみで戸当たり本体と係止体が仮止め又は保持される点で有用なものである。
【０００４】
特開２００５−３４４３１５号公報には、ドア側に装着されるストライクピンがドアの開き操作により嵌り込み、ドアを開放状態で維持する床面に固定される部材であって、ストライクピンが嵌り込む凹部を中央に有し、側面の少なくともストライクピンの軌道面が内側に上り勾配となる傾斜面である戸当たり用床側部材と、自然状態において自重又は弾発力により下方に付勢され、外力により上昇するドア側部材であるストライクピンを備える戸当りが開示されている。この戸当りは、操作性、意匠性、施工性、安全性及び耐久性に優れるというものである。従来の戸当りは、扉を押す（開く）ことでドアがキャッチされ、扉を引く（閉める）ことで扉がリリースされる。
【特許文献１】特開２０００−４５６０６号公報（特許請求の範囲、図１、図２）
【特許文献２】特開２０００−２４８８０８号公報（特許請求の範囲、図１）
【特許文献３】特開２００５−３４４３１５（特許請求の範囲、図１）
【発明の開示】
【発明が解決しようとする課題】
【０００５】
しかしながら、扉を押す（開く）ことの１工程や扉を引く（閉める）ことの１工程のみでは、扉が開いて保持されたキャッチ感や扉が外れたリリース感が操作者に確実に伝わらないという問題がある。
【０００６】
従って、本発明の目的は、扉が開いて保持されたキャッチ感や扉が外れたリリース感が操作者に確実に伝わる戸当たり用床側部材及びこれを用いた戸当りを提供することにある。
【課題を解決するための手段】
【０００７】
すなわち、本発明は、上記従来の課題を解決したものであって、扉側のピンをキャッチする戸当たり用床側部材であって、ピン出入口からピン最終キャッチ位置よりピン出入口とは反対側に位置する第１キャッチ位置の入口までの上り傾斜の第１路と、該第１キャッチ位置から該ピン最終キャッチ位置までの第２路と、該ピン最終キャッチ位置から該ピン最終キャッチ位置よりピン出入口とは反対側に位置する第２キャッチ位置の入口までの上り傾斜の第３路と、第２キャッチ位置からピン出入口までの第４路と、を有し、該第１路及び該第２路と、該第３路及び該第４路は、該ピン出入口の中心と該ピン最終キャッチ位置の中心を結ぶ線を境として互いに反対側に位置し、該第１路と該第２路は扉のキャッチ工程におけるピンの通る路であり、該第３路と該第４路は扉のリリース工程におけるピンの通る路であり、該第１路から該第４路のそれぞれは平面視湾曲状で且つ両側壁を有することを特徴とする戸当たり用床側部材を提供するものである。
【０００８】
また、本発明は、高さが１０ｍｍ以下であることを特徴とする前記戸当たり用床側部材を提供するものである。
【０００９】
また、本発明は、該ピン最終キャッチ位置は、平面視で略中央に位置することを特徴とする前記戸当たり用床側部材を提供するものである。
【００１０】
また、本発明は、該第１路から該第４路で形成される平面視形状がハート型であることを特徴とする前記戸当たり用床側部材を提供するものである。
【００１１】
また、本発明は、前記戸当たり用床側部材と、水平方向において回動すると共に、弾発力により下方に付勢され、外力により上昇するピンを有するドア側部材を備えることを特徴とする戸当りを提供するものである。
【００１２】
また、本発明は、該ピンは、鉛直方向に延びる主軸と、主軸の先端から屈曲して横方向に延びる腕部と、該腕部の先端から屈曲して下方に延びる先端ピン部を備えることを特徴とする前記戸当りを提供するものである。
【００１３】
また、本発明は、該ドア側部材には、該ピンを支持する固定側支持部を有し、該ピンの上部には、該ピン出入口に対応する位置に位置決め用の凹状又は凸状のピン側係止部を形成したピン側ガイド部材を有し、該固定側支持部には、該ピン側係止部と係止する凸状又は凹状の固定側係止部を形成したことを特徴とする前記戸当りを提供するものである。   
【発明の効果】
【００１４】
本発明によれば、扉を開くキャッチ工程は、扉を押す操作と引く操作の２工程を経てピンはピン最終キャッチ位置にキャッチされる。また、扉を引くリリース工程は、扉を押す操作と引く操作の２工程を経てピンはピン最終キャッチ位置からリリースされ元の位置に戻る。このため、扉が開いて保持されたキャッチ感や扉が外れたリリース感が操作者に確実に伝わる。
【図面の簡単な説明】
【００１５】
【図１】本発明の実施の形態における戸当たり用床側部材の斜視図である。
【図２】図１の戸当たり用床側部材の他の斜視図である。
【図３】図１の戸当たり用床側部材の分解斜視図である。
【図４】図１の戸当たり用床側部材を構成するバンパーの平面図である。
【図５】本発明の実施の形態におけるドア側部材の分解斜視図である。
【図６】図５のドア側部材を構成する主要部品の分解斜視図である。
【図７】図５のドア側部材を構成するピン側ガイド部材の斜視図である。
【図８】ピン側ガイド部材と固定側ケースとの係止関係を説明する図である。
【図９】図５のドア側部材の断面図である。
【図１０】本発明の実施の形態における戸当たりの斜視図である。
【図１１】キャッチ工程において、先端ピンがピン出入口に位置する状態を示す図である。
【図１２】キャッチ工程において、先端ピンが第１キャッチ位置に位置する状態を示す図である。
【図１３】キャッチ工程において、先端ピンがキャッチされた状態を示す図である。
【図１４】リリース工程において、先端ピンが第２キャッチ位置に位置する状態を示す図である。
【図１５】リリース工程において、先端ピンが完全にリリースされた状態を示す図である。
【発明を実施するための形態】
【００１６】
本発明の実施の形態における戸当たり用床側部材（以下、単に「床側部材」とも言う。）を図１〜図４を参照して説明する。本明細書中、「上り」及び「平面視点」は床面に床側部材を取り付けた状態における方向又は位置を言う。床側部材１０は、扉側のピン（ストライクピン）をキャッチするものであって、樹脂製のバンパー１０Ａと、バンパー保持台１０Ｂとからなる。バンパー保持台１０Ｂは、高さが１０ｍｍ以下の扁平の略半円錐状体の表面部に、バンパー形状がくり抜かれたものである。バンパー保持台１０Ｂのバンパー収容部１９ａの底部１９ｂには、バンパー保持台１０Ｂを床に固定するための不図示の螺子孔が形成されている。また、バンパー収容部１９ａを形成する周壁の一部は切り欠かれてピン出入口１９ｃとなっている。バンパー１０Ａをバンパー保持台１０Ｂのバンパー収容部１９ａに互いのピン出入口１９ｃ、１１が一致するように嵌め込むと、バンパー１０Ａとバンパー保持台１０Ｂのそれぞれの天面が面一となる。
【００１７】
バンパー１０Ａは、平面視形状がハート型であり、先端ピン２２３が通る、第１路１、第２路２、第３路３及び第４路４を有する。第１路１は、ピン出入口１１から第１キャッチ位置１２の入口までの上り傾斜の先端ピン２２３が通る通路である。第１キャッチ位置１２は、ピン最終キャッチ位置１４より反ピン出入口側に位置する。ピン出入口１１は、バンパー１０Ａのドア側部材２０における先端ピン２２３の正位置に対応する位置にあり、外周壁１５を先端ピン２２３の幅寸法より少し大となる幅寸法で切り欠いたものであり、且つ底板部の厚みを極力薄くした部分である。これにより、先端ピン２２３の進入を容易にする。ピン出入口１１と第１路１との境界５０１は、殆ど段差を有さないものである（図２および図３）。
【００１８】
第１路１は、本例では、平面視が時計回りのやや湾曲状（弧状）である。第１路１を上り傾斜とすることで、第１キャッチ位置１２を浅深の落とし穴形状とすることができる。第１路１は、路幅が先端ピン２２３の径よりやや大であり、且つ路の両側にガイド壁である両側壁１１１、１１２を有している。また、先端ピン２２３は主軸２２１を中心に回動自在である。これにより、ドアを押し込む操作のみで、先端ピン２２３は第１路１を通る。第１キャッチ位置１２はピン最終キャッチ位置１４よりやや奥側（ピン出入口１１とは反対側）に位置しており、キャッチ工程における戻り工程（ドアを引く操作）の実施を可能としている。
【００１９】
第２路２は、第１キャッチ位置１２からピン最終キャッチ位置１４までの先端ピン２２３が通る通路である。ピン最終キャッチ位置１４は、平面視で前後方向及び左右方向において、略中央に位置し、先端ピン２２３が収容される箇所である。また、先端ピン２２３はドアを閉める方向に引くことでピン最終キャッチ位置１４に納まるため、ピン最終キャッチ位置１４のピン出入口側には、ストッパー壁１６を形成している。ストッパー壁１６は、ピン最終キャッチ位置１４のピン出入口側の半周を囲む形状である。これにより、先端ピン２２３はドアを強く引いても、外れることはない。ピン最終キャッチ位置１４の深さは、第１キャッチ位置１２より深い。このため、第２路２を通った先端ピン２２３は、ピン最終キャッチ位置１４に落とし込まれる。第２路２は、路幅が先端ピン２２３の径よりやや大であり、且つガイド壁である両側壁１１３、１１４を有している。側壁１１３は第２路２が第１路１より深いため、第１路１の端面が壁となるものである。また、側壁１１４はバンパー１０Ａの外壁である。また、先端ピン２２３は、主軸２２１を中心に回動自在である。これにより、ドアを閉める方向に引くことで、先端ピン２２３は両側壁１１３、１１４にガイドされて第２路２を通る。第２路２は、本例では平面視が時計回りの極わずかな湾曲状（弧状）であり、少しの上り傾斜か勾配がほとんどないものである。また、第２路２は第１路１より長さは小である。これにより、キャッチ工程におけるドアを押す操作よりドアを引く操作が短くなり、操作者に押す操作と引く操作の違いを認識させることができる。第１路１及び第２路２は、図４中、ピン出入口１１の中心とピン最終キャッチ位置１４の中心を結ぶ線を境として下方側に位置し、扉のキャッチ工程におけるピンの通る路となる。
【００２０】
第３路３は、ピン最終キャッチ位置１４から第２キャッチ位置１３の入口までの上り傾斜の先端ピン２２３が通る通路である。第２キャッチ位置１３はピン最終キャッチ位置１４より反ピン出入口側に位置する。第３路３は、本例では、平面視が時計回りの極わずかな湾曲状（弧状）である。第３路３を僅かな上り傾斜とすることで、第２キャッチ位置１３を浅深の落とし穴形状とすることができる。第３路３における上り傾斜勾配は、第１路１の傾斜勾配と同じでよい。第３路３は、路幅が先端ピン２２３の径よりやや大であり、且つガイド壁である両側壁１１５、１１６を有している。側壁１１５はバンパー１０Ａの外壁であり、側壁１１６は、ストッパー壁１１６である。これにより、リリース工程において、ドアを押す操作のみで、先端ピン２２３は両側壁１１５、１１６にガイドされて第３路３を通る。また、第３路３は第４路４より長さは小である。これにより、リリース工程におけるドアを引く操作よりドアを押す操作が短くなり、操作者に引く操作と押す操作の違いを認識させることができる。また、第２キャッチ位置１３はピン最終キャッチ位置１４よりやや奥側（ピン出入口１１とは反対側）に位置しており、リリース工程における戻り工程（ドアを閉める方向に引く操作）の実施を可能としている。ピン最終キャッチ位置１４と第３路３との境界５０２は、殆ど段差を有さないものである（図２および図３）。
【００２１】
第４路４は、第２キャッチ位置１３からピン出入口１１までの先端ピン２２３が通る通路である。本例では、平面視が時計回りの極わずかに湾曲状（弧状）であり、少しの上り傾斜か勾配がほとんどないものである。これにより、ピン出入口１１を第４路４に対して、落とし穴とすることができる。第４路４は、第１路１と略同じ長さであり、路幅が先端ピン２２３の径よりやや大であり、且つガイド壁である両側壁１１７、１１８を有している。側壁１１７は、ストッパー壁１１６であり、側壁１１８はバンパー１０Ａの外壁である。これにより、ドアを引く操作のみで、先端ピン２２３は両側壁１１７、１１８にガイドされて第４路４を通る。ピン出入口１１は第４路４から落ち込んでいる。すなわち、第４路４の最終端は、ピン出入口１１の壁４４となっている（図１参照）。このため、先端ピン２２３がキャッチ工程のドア押し込み工程において、第４路４に進入することはない。第３路３及び第４路４は、ピン出入口１１の中心とピン最終キャッチ位置１４の中心を結ぶ線を境として第１路１及び第２路２とは反対側（図４中、上方側）に位置し、扉のリリース工程におけるピンの通る路となる。すなわち、第１路１及び第２路２と、第３路３及び第４路４は、ピン出入口１１の中心とピン最終キャッチ位置１４の中心を結ぶ線を境として互いに反対側に位置する。
【００２２】
本発明の戸当り５０は、床側部材１０とドア側部材２０を備える。ドア側部材２０を図５〜図９を参照して説明する。ドア側部材２０は、先端ピン２２３が水平方向において回動すると共に、弾発力により下方に付勢され、外力により上昇するピン２２を有する。ピン２２は、鉛直方向に延びる主軸２２１と、主軸２２１の先端から屈曲して横方向に延びる腕部２２２と、腕部２２２の先端から屈曲して下方に延びる先端ピン２２３を備える。このように、主軸２２１と先端ピン部２２３の位置を平面視において偏心させることで、主軸２２１を中心に、先端ピン部２２３を水平方向において回動させることができる。また、先端ピン２２３の先端を床に接触させず、ピン出入口１１の底面に接触するような設定をすれば、ドアを開けると先端ピン２２３の先端がピン出入口１１に入り、以降、ドアの押し引き操作により、先端ピン２２３は第１路１〜第４路４の底面を押しつつ、ハート型形状を描くように移動することができる。
【００２３】
ドア側部材２０は、ピン２２と、ピン２２を下方へ付勢するバネ部材２４と、ピン２２を支持する固定側支持部２０Ａと、先端ピン２２３以外の固定側支持部２０Ａを覆い隠すケース２０Ｂを有する。固定側支持部２０Ａは、内部にピン２２関係の構成部品を収容する円筒部２１１と、円筒部２１１の上端を塞ぐ中央に開口２１５を有する上部フランジ２１２と、円筒部２１１の下端を塞ぐ中央に開口を有する下部フランジ２１３とドア面に固定される背板部２１４とを有する。上部フランジ２１２の開口２１５は、コイルバネ２４の上端を止めるストッパー螺子２３が螺合する雌ネジが切られており、下部フランジ２１３の開口２１６は、ピン２２の主軸２２１が通る開口となっている。
【００２４】
固定側支持部２０Ａは、ドア面に固定される部材であり、円筒部２１１の下方内周面で、且つ床側部材１０側の中央には、ピン側係止部２６１と係止する山型状の突起（凸状）２１９が形成されている（図８参照）。また、固定側支持部２０Ａの円筒部２１１の下方内周面で、反床側部材１０側の中央には、上下方向に延びる板状のストッパー部２１７が形成されている（図８参照）。山型状の突起２１９は、ピン側の山型形状に対応する凹状の切り欠き部２１６と係止するものであり、例えば、リリース工程の最後において、先端ピン２２３がピン出入口１１１を出た後、ピン２２の僅かな横振れが生じるが、突起の山の片を形成する面と切り欠いた山の片を形成する面が当接し、更に、ピン２２が下方にバネ付勢されているため、ピン２２の横振れが是正され、ピン２２が正面位置に戻ることになる。板状のストッパー部２１７は、ピン２２が回動すると、ピン側ガイド部材２６の半円筒部の側端面２６２が当たることで、回動を規制している。本例では、先端ピン２２３は、主軸２２１を中心に１８０°程度回動し、それ以上は回動しないようにしている。すなわち、先端ピン２２３の回動を床側部材１０側の１８０°に抑えた理由は、次の通りである。例えばキャッチ工程の初期において、ピン先端２２３がピン出入口１１の入る前に子供の足などの障害物によりピン先端２２３が中心より９０°回動したとしても、その状態で、床側部材１０に乗り上げていけばよい。その際、先端ピン２２３がピン出入口１１を経由せずに、第１路１又は第３路３に乗り上げて入っても、それ以降の操作で扉を押し又は戻せば、そのまま、先端ピン２２３は最終キャッチ位置１４に入るか、またはピン出入口１１に戻ることになる。
【００２５】
固定側支持部２０Ａには、ピン２２及びピン側ガイド部材２６が下方にバネ付勢され、且つ回動自在に支持されている。ピン２２とピン側ガイド部材２６は、ネジ２５で一体化している。ピン２２とピン側ガイド部材２６を一体化した理由は、ピン２２の最小長さが、上部フランジ２１２の開口２１５及び下部フランジ２１３の開口２１６の径より大であり、且つピン側ガイド部材２６の最小長さが、下部フランジ２１３の開口２１６の径より大であるため、一体化した後は固定側支持部２０Ａ内に装着できないからである。ピン側ガイド部材２６は、図６及び図７に示す構造であり、円筒部材２６Ａの下方で且つ後方側が切り欠かれており、これにより円筒部材２６Ａの下方は、円周方向の１８０°程度が部分円筒体となり、周方向の端面２６２を形成している。この端面２６２は、ピン２２が主軸を中心に回動する際、固定側支持部２０Ａのストッパー部２１７に当接することで、ピン２２が振れすぎる(回動しすぎる)ことを防止している。円筒部材２６Ａの上部には、ネジ孔２６３が形成された短尺円筒突起２６Ｂが形成されている。また、短尺円筒突起２６Ｂは巻きバネ２４の一端を支持する。符号２７はＯリングである。
【００２６】
固定側支持部２０Ａに、ピン２２類を取り付ける方法を説明する。ピン２２を、固定側支持部２０Ａの下方に位置させ、主軸２２１を下部フランジ２１３の開口２１６から入れ込む。次に、ピン側ガイド部材２６を、固定側支持部２０Ａの上方に位置させ、上部フランジ２１２の開口２１５から落とし込む。なお、ピン側ガイド部材２６の最大外径は、上部フランジ２１２の開口２１５の径より小である。ピン２２とピン側ガイド部材２６は、ピン２２の位置決め係止部２２５とピン側ガイド部材２６の位置決め係止部２６３を係止して一体化させる。次いで、ネジ２５を上部フランジ２１２の開口２１５から入れ、ピン側ガイド部材２６のネジ孔２６３及びピン２２のネジ孔２２４に至るまでネジ込む。これにより、固定側支持部２０Ａ内において、ピン２２とピン側ガイド部材２６を一体化させることができる。ピン２２とピン側ガイド部材２６の一体化物は、固定側支持部２０Ａ内において自然落下して、ピン側ガイド部材２６の下端２６４が固定側支持部２０Ａの下部フランジ２１３の上面に当たって、下部フランジ２１３上に載ることになる。そして、固定側支持部２０Ａの山型状の突起２１９に、ピン側ガイド部材２６のピン側係止部２６１を係止させれば、先端ピン２２３が床側部材１０のピン出入口１１に対応する位置（準備位置）にくる。次いで、巻きバネ２４を上部フランジ２１２の開口２１５から入れ、ストッパーネジ２３で留める。これにより、ピン２２とピン側ガイド部材２６の一体化物は、下方にバネ付勢されると共に、先端ピン２２３に横方向の外力が作用すれば、所定の角度までは自由に回動することができる。固定側支持部２０Ａに、ピン２２類を取り付けた後、カバー２０Ｂを取り付け、次いで、固定側支持部２０Ａをドア面に取り付ければ、ドア側部材２０の取り付けが終了する（図９）。
【００２７】
次に、戸当り５０の使用方法について説明する。戸当り５０の使用方法において、ピン２２が床側部材１０に係止される、扉を開けて保持するキャッチ工程と、床側部材１０にキャッチされたピン２２の係止を解除して、扉を閉じるリリース工程とを備える。次に、キャッチ工程を図１０〜図１３を参照して説明する。図１０〜図１３において、図１〜図９と同一構成要素には同一符号を付してその説明を省略し、異なる点について主に説明する。キャッチ工程は、先ず扉を開く操作で開始する（図１０）。この際、先端ピン２２３がピン出入口１１に向かって進むことになる。この際、ピン２２に少しの外力が作用して先端ピン２２３が少し横振れしても、固定側支持部２０Ａの山型状の突起２１９とピン側ガイド部材２６のピン側係止部２６１の係止が復元して、元の係止を維持できる。次いで、先端ピン２２はピン出入口１１に入る（図１１）。
【００２８】
次いで、更に扉９１は床側部材１０側に押される。この際、先端ピン２２３は、最終端の壁４４が存在する第４路４には進まず、第１路１を進む。第１路１は、通路の両側がガイド壁１１１、１１２となっており、且つ先端ピン２２３が主軸２２１を中心に回動自在であること、更に上り勾配であってもピン２２は、バネ２４のバネ付勢に抗して上昇できることなどにより、第１路１を円滑に進み、第１キャッチ位置１２に到達する（図１２）。この際、第１キャッチ位置１２は第１路１に対して落とし穴になっており、且つバネ付勢により、カチっという音又は感触が操作者に伝わる。次いで、扉９１を閉じる方向に引く。第１キャッチ位置１２から第２路２は、ほとんど段差はなく、扉９１を引くことで、先端ピン２２は、第２路２に進入する。第２路２は、通路の両側がガイド壁１１３、１１４となっており、且つ先端ピン２２３が主軸２２１を中心に回動自在であるため、第２路２を円滑に進み、最終キャッチ位置１４に到達する（図１３）。この際、最終キャッチ位置１４は第２路２に対して落とし穴になっており、且つバネ付勢により、カチっという音又は感触が操作者に伝わる。このように、キャッチ工程は、扉を押す操作と引く操作の両方を行って終了する。
【００２９】
次に、リリース工程を図１４〜図１５を参照して説明する。図１４〜図１５において、図１０〜図１３と同一構成要素には同一符号を付してその説明を省略し、異なる点について主に説明する。リリース工程は、先端ピン２２３が最終キャッチ位置１４に嵌っている状態から開始する。先ず扉９１を押す。この際、最終キャッチ位置１４から第３路３にかけてはほとんど段差が存在しない。また、第２路２の最終端は壁面となっているため、先端ピン２２３は、第２路２には進まず、第３路３を進む。第３路３は、通路の両側がガイド壁１１５、１１６となっており、且つ先端ピン２２３が主軸２２１を中心に回動自在であり、第３路３を円滑に進み、第２キャッチ位置１３に到達する（図１４）。この際、第２キャッチ位置１３は第３路３に対して落とし穴になっており、且つバネ付勢により、カチっという音又は感触が操作者に伝わる。次いで、扉９１を引く操作を行う。第３路３の最終端は壁面となっているため、先端ピン２２３は、第３路３には進まず、第４路４を進む。また、第２キャッチ位置１３から第４路４は、ほとんど段差はなく、扉９１を引くことで、先端ピン２２は、第４路４に進入する。第４路４は、通路の両側がガイド壁１１７、１１８となっており、且つ先端ピン２２３が主軸２２１を中心に回動自在であるため、先端ピン２２３は、第４路４を円滑に進み、ピン出入口１１に到達し、終にはピン出入口１１から外へ飛び出す（図１５）。このように、リリース工程は、キャッチ工程と同様に、扉９１を押す操作と引く操作の両方を行って終了する。
【００３０】
次に、戸当り５０の他の使用方法について説明する。例えば、先端ピン２２３がピン出入口１１に入る前に障害物に当り、ピン側ガイド部材２６が固定側支持部２０Ａのストッパー部２１７に当り、先端ピン２２３が大きく（例えば、正位置から９０°）偏心した場合、そのままキャッチ工程に入ることもできる。すなわち、先端ピン２２３を床側部材１０のバンパー保持台１０Ｂの外壁に衝突させるように押し込む。この際、ピン２は、固定側支持部２０Ａのストッパー部２１７があるため、それ以上には回動しない。このため、先端ピン２２３は、バンパー保持台１０Ｂの外壁を乗り越えて第１路１または第４路４に入り込む。次いで、扉９１を押すまたは引く操作を行えば、先端ピン２２３は、ピン出入口１１または最終キャッチ位置１４に入り込み、キャッチ工程を終えるかまたはリリース工程を終える。なお、本例ではバンパー保持台１０Ｂが、このような外壁を乗り越える操作を想定して、前方部の外壁の傾斜を後方部の外壁の傾斜より緩やかにしている。
【００３１】
本発明の床側部材及び戸当りは、上記実施の形態例に限定されず、種々の変形を採ることができる。ドア側部材２０において、ピン２２とピン側ガイド部材２６は上記のように、別々の部材をネジ止めで一体化したものに限定されず、当初から一体ものであってもよい。その際、固定側支持部２０Ａ内に上方から挿入できるよう、固定側支持部２０Ａの上方フランジ２１２の開口２１５を大とすればよい。また、ドア側部材２０において、ピン側ガイド部材２６のピン側係止部２６１や固定側支持部２０Ａのストッパー部２１７は省略してもよい。この場合、先端ピン２２３は主軸２２１を中心に３６０°回動したり、先端ピン２２３の少しの横振れを自動復元することはできないものの、先端ピン２２３の位置は手動で修正すればよい。このような変形例であっても、実施の形態例と同様の効果を奏する。また、円筒部材２６Ａの下方は、円周方向の１８０°程度が部分円筒体となっているが、これに限定されず、円周方向の１２０°〜１８０°未満の部分円筒体であってもよい。
【産業上の利用可能性】
【００３２】
本発明によれば、扉を開くキャッチ工程及び扉を閉じるリリース工程は、共に、扉を押す操作と引く操作を行い、且つその度に先端ピンが第１キャッチ位置、第２キャッチ位置又は最終キャッチ位置にカチっと嵌るため、扉が開いて保持されたキャッチ感や扉が外れたリリース感が操作者に確実に伝わる。
【符号の説明】
【００３３】
１        第１路
２        第２路
３        第３路
４        第４路
１０Ａ    樹脂製のバンパー
１０Ｂ    バンパー保持台
１１      バンパーのピン出入口
１４      ピン最終キャッチ位置
１５      外周壁
１９ａ    バンパー収容部
１９ｃ    バンパー保持台のピン出入口
２０      ドア側部材
２０Ａ    固定側支持部材
２２      ピン
２６      ピン側ガイド部材
９１      扉
１１１、１１２    第１路の両壁
１１３、１１４    第２路の両壁
１１５、１１６    第３路の両壁
１１７、１１８    第４路の両壁
２１９    固定側係止部
２２１    ピン主軸
２２３    先端ピン
２６１    ピン側係止部 
【図１】
0006611515.tif 000002
【図２】
0006611515.tif 000003
【図３】
0006611515.tif 000004
【図４】
0006611515.tif 000005
【図５】
0006611515.tif 000006
【図６】
0006611515.tif 000007
【図７】
0006611515.tif 000008
【図８】
0006611515.tif 000009
【図９】
0006611515.tif 000010
【図１０】
0006611515.tif 000011
【図１１】
0006611515.tif 000012
【図１２】
0006611515.tif 000013
【図１３】
0006611515.tif 000014
【図１４】
0006611515.tif 000015
【図１５】
0006611515.tif 000016